(57)【要約】
【課題】構造が簡単で操作が容易である運動及び滑走ホイール両用の靴の滑走ホイールの展開及び収納構造を提供する。
【解決手段】ベース２１を有し、ベース２１の底部にブロック２２を設け、ブロック２２の両側に対称になるようにホイール・ピース２４を設け、ホイール・ピース２４には二つの穿孔２４１，２４２が形成され、且つブロック２２における対応する位置にガイド・ホール２２３，２２４を形成し、且つガイド・ロッド２６によって穿孔２４１，２４２とガイド・ホール２２３，２２４を貫通することによりホイール・ピース２４をブロック２２に位置決め、ガイド・ロッド２６の末端でピン２５によって固定し、ブロック２２の底部の前後方にそれぞれ位置決めホール２２５，２２６が形成され、位置決めホール２２５，２２６の内方に係止ピン・ベース３２が設けられた構造である。
【選択図】図１
0003101017.tif 000002
【実用新案登録請求の範囲】
【請求項１】
靴の底部に埋め込まれる滑走ホイールの展開及び収納構造であって、
ベースを有し、当該ベースの底部にブロックが設けられ、当該ブロックの両側に対称になるようにホイール・ピースが配置され、それらのホイール・ピースには二つの穿孔が形成され、前記ブロックにおける対応する位置にガイド・ホールが形成され、ガイド・ロッドによって前記穿孔と前記ガイド・ホールを通すことによりホイール・ピースをブロックに位置決め、且つそのガイド・ロッドの末端でピンによって固定し、前記ブロックの底部の前後にそれぞれ位置決めホールが形成され、それらの位置決めホール内に係止ピン・ベースが形成され、当該係止ピン・ベースの両側にそれぞれ係止ピンが収納され、当該係止ピンがスプリングによって前記位置決めホールの外方へ突出されるように付勢され、前記ブロック内に撥ねフォークが配置され、当該撥ねフォークには前後二つの分岐部が形成され、当該分岐部が前記係止ピンを推し進めて移動可能とし、前記ホイール・ピースが位置決めホールに対応する位置の上下縁部にそれぞれ凹槽が形成され、そこに係止ピンが突出して位置決め可能とし、前記撥ねフォークの後端部に後ボタンが当接しており、当該後ボタンにスプリングとワッシャが外嵌され、前記撥ねフォークをプッシュし移動可能とし、前記ホイール・ピースには前後二つのホイール軸孔が形成され、それらのホイール軸孔にホイール軸と滑走ホイールを固着可能とし、且つそのホイール軸の末端部にピンによって固定することを特徴とする、
運動及び滑走ホイール両用の靴の滑走ホイールの展開及び収納構造。
【請求項２】
前記撥ねフォークの分岐部の内縁部がＶ字形または円弧形に形成されると共に、前記係止ピンには前記分岐部の内縁部と滑動配合可能な二つの直立するボス同士が設けられることを特徴とする、
請求項１に記載の運動及び滑走ホイール両用の靴の滑走ホイールの展開及び収納構造。
【請求項３】
前記ブロックにおける位置決めホールが矩形ホールであるとともに、前記係止ピンと前記ホイール・ピースにおける凹槽も相応する矩形に形成されることを特徴とする、
請求項１に記載の運動及び滑走ホイール両用の靴の滑走ホイールの展開及び収納構造。
【考案の詳細な説明】
【技術分野】
【０００１】
本考案は、普段履いてスポーツをし、または履いて滑走運動をする二種類の用途を有する複合式の靴の構造に係わり、特に運動及び滑走ホイール両用の靴の滑走ホイールの展開及び収納構造に関するものである。
【背景技術】
【０００２】
従来の運動及び滑走ホイールの両用の靴の構造は、その滑走ホイールの展開と収納とが制御機構によってリンクなどを連動して滑走ホイール・セットを円弧運動軌跡に沿って展開または収納させるものであり、その構造が複雑的で操作が面倒的である。
【特許文献１】中国特許第００２４３７２４．４号明細書
【特許文献２】中国特許第０１２３７９９６．４号明細書
【考案の開示】
【考案が解決しようとする課題】
【０００３】
前記した従来の運動及び滑走ホイールの両用の靴の構造にあっては、次のような問題点がある。
すなわち、その滑走ホイールの展開と収納とが制御機構によってリンクなどを連動して滑走ホイール・セットを円弧運動軌跡に沿って展開または収納させるものであり、その構造が複雑的で操作が面倒的である。
【課題を解決するための手段】
【０００４】
上記のような課題を解決するために、本考案の運動及び滑走ホイール両用の靴の滑走ホイールの展開及び収納構造は、靴の底部に埋め込まれる滑走ホイールの展開及び収納構造であって、ベースを有し、当該ベースの底部にブロックが設けられ、当該ブロックの両側に対称になるようにホイール・ピースが配置され、それらのホイール・ピースには二つの穿孔が形成され、また、前記ブロックにおける対応する位置にガイド・ホールが形成され、また、ガイド・ロッドによって前記穿孔と前記ガイド・ホールを通すことによりホイール・ピースをブロックに位置決め、且つそのガイド・ロッドの末端でピンによって固定し、また、前記ブロックの底部の前後にそれぞれ位置決めホールが形成され、それらの位置決めホール内に係止ピン・ベースが形成され、当該係止ピン・ベースの両側にそれぞれ係止ピンが収納され、当該係止ピンがスプリングに前記位置決めホールの外方へ突出されるように付勢され、また、前記ブロック内に撥ねフォークが配置され、当該撥ねフォークには前後二つの分岐部が形成され、当該分岐部が前記係止ピンを推し進めて移動させることができ、また、前記ホイール・ピースが位置決めホールに対応する位置の上下縁部にそれぞれ凹槽が形成され、そこに係止ピンが突出し、位置決めでき、また、前記撥ねフォークの後端部に後ボタンが当接しており、当該後ボタンにスプリングとワッシャが外嵌され、前記撥ねフォークをプッシュし移動させることができ、また、前記ホイール・ピースには前後二つのホイール軸孔が形成され、それらのホイール軸孔にホイール軸と滑走ホイールを固着でき、且つそのホイール軸の末端部にピンによって固定することを特徴とする運動及び滑走ホイール両用の靴の滑走ホイールの展開及び収納構造である。
【０００５】
また、本考案の運動及び滑走ホイール両用の靴の滑走ホイールの展開及び収納構造は、前記撥ねフォークの分岐部の内縁部がＶ字形または円弧形に形成されると共に、前記係止ピンには前記分岐部の内縁部と滑動配合可能な二つの直立するボス同士が設けられることを特徴とする、前記する運動及び滑走ホイール両用の靴の滑走ホイールの展開及び収納構造である。
【０００６】
さらに、本考案の運動及び滑走ホイール両用の靴の滑走ホイールの展開及び収納構造は、前記ブロックにおける位置決めホールが矩形ホールであると共に、前記係止ピンと前記ホイール・ピースにおける凹槽も相応する矩形に形成されることを特徴とする、前記する運動及び滑走ホイール両用の靴の滑走ホイールの展開及び収納構造である。
【考案の効果】
【０００７】
本考案の運動及び滑走ホイール両用の靴の滑走ホイールの展開及び収納構造は、上記した課題を解決するための手段により、次のような効果を得ることができる。
すなわち、展開時に、後ボタンを押し、撥ねフォークを前方へ推し進め、且つ係止ピンのボスを内方へ作動させるように連動し、係止ピンをホイール・ピースの下縁部の凹槽より離脱させ、この際、トーション・スプリングとホイール・ピースとの自身の重量によって、ガイド・ロッドがホイール・ピースを連動して滑走ホイールとブロックにおけるガイド・ホールに沿って真下へ落下され、それから後ボタンを放し、スプリングが後ボタンと撥ねフォークとを復位させ、この際、スプリングの回復力によって係止ピンが外方へ伸ばされ、且つ位置決めホールを通過してからホイール・ピースの上縁部の凹槽に係止され、滑走ホイール靴の構造を形成する。また、収納時に、後ボタンを押して係止ピンをホイール・ピースの上縁部の凹槽より離脱させ、この時に足裏が下方を圧迫し、力を入れると、ホイール・ピースと滑走ホイールとを靴底部内へ縮ませ、また、後ボタンを放すことによって係止ピンをホイール・ピースの下縁部の凹槽中に係止させることによって運動用靴を形成させることができる。
【考案を実施するための最良の形態】
【０００８】
以下、図面を参照しながら本考案の実施の形態について説明する。
【０００９】
図１ないし図４に示すように、本考案は、主に靴底部１０内に埋め込まれる滑走ホイール装置２０を有し、当該滑走ホイール装置２０には、ベース２１を有し、当該ベース２１の底部にブロック２２が形成され、当該ブロック２２の両側に対称にホイール・ピース２４が設けられ、二本のガイド・ロッド２６，２６同士によってホイール・ピース２４をブロック２２に挿着し、且つ上下方へ活動できるように設定する。また、前記ブロック２２内に撥ねフォーク３４が取り付けられ、当該撥ねフォーク３４には前後二つの分岐部３５を有し、それぞれの分岐部３５が撥ねフォーク制御部材３０を支えており、且つある後ボタン４４によって制御し、撥ねフォーク３４を推し進めて二つの撥ねフォーク制御部材３０，３０に開閉させることができ、両側のホイール・ピース２４の上下活動を制御する。
【００１０】
図７と図８に示すように、前記撥ねフォーク制御部材３０がブロック２２の底部の位置決めホール２２５，２２６内に取り付けられ、そこには係止ピン・ベース３２を有し、当該係止ピン・ベース３２がスプリング３３に支えられて位置決めホール２２５，２２６の外部へ伸ばされ、前記撥ねフォーク制御部材３４の分岐部３５の内縁部がＶ字形または円弧形に形成され、係止ピン３１には二つの直立するボス３６が設けられ、それらが分岐部３５の内縁部と滑動配合されており、前記後ボタン４４にはスプリング４３とワッシャ４２を外嵌しており、プッシュ制御部材４０を形成し、且つ当該プッシュ制御部材４０の底部を撥ねフォーク３４の後端部に当接させる。
【００１１】
図５と図６に示すように、前記ブロック２２内にガイド・ホール２２３，２２４が形成され、それらと対応するように、ホイール・ピース２４には穿孔２４１，２４２が形成され、ガイド・ロッド２６があるホイール・ピース２４の穿孔２４１，２４２よりガイド・ホール２２３，２２４を貫通して他のホイール・ピース２４の穿孔２４１，２４２に到達させた後、その末端部でピン２５によって固定する。また、それぞれのガイド・ロッド２６にはトーション・スプリング２２１，２２２がつけており、それらのトーション・スプリング２２１，２２２をベース２１に保持し、前記ホイール・ピース２４が位置決めホール２２５，２２６の対応しあう位置の上下縁部にそれぞれ凹槽２４５，２４６を設け、そこに係止ピン３１を突出位置決めさせることができ、操作に利するために、前記ブロック２２における位置決めホール２２５，２２６が矩形孔に形成され、前記係止ピン３１とホイール・ピース２４における凹槽２４５，２４６も相応する矩形に形成されている。また、ホイール・ピース２４には前後二つのホイール軸孔２４３，２４４が形成され、ホイール軸５１が滑走ホイール５２を通してからその末端部でピン５３によって固定する。
【００１２】
前記のそれぞれの図面と図９ないし図１２を参照して本考案の仕事原理と操作過程を下記のように説明する。
【００１３】
滑走ホイールの展開について、まず後ボタン４４を押し、それによって撥ねフォーク３４を前方へ移動させ、且つ撥ねフォーク３４の分岐部３５の湾曲内縁部が係止ピン３１のボス３６を連動して内方へ作動させ、係止ピン３１をホイール・ピース２４の下縁部の凹槽２４５，２４６より離脱させ、この際、トーション・スプリング２２１，２２２とホイール・ピース２４の自身の重量により、ガイド・ロッド２６がホイール・ピース２４と滑走ホイール５２を連動してブロック２２のガイド・ホール２２３，２２４に沿って真下へ落下作動される。それから、後ボタン４４を放し、スプリング４３の付勢力によって後ボタン４４と撥ねフォーク３４を復位させる。この際、スプリング３３の回復力によって係止ピン３１を外方へ伸ばさせ、且つ位置決めホール２２５，２２６に通した後、ホイール・ピース２４の上縁部の凹槽２４５，２４６に係止し、ホイール・ピース２４を位置決めて上方へ移動不能にし、滑走ホイール靴構造を形成する。
【００１４】
滑走ホイール収納について、まず、後ボタン４４を押し、同様に係止ピン３１をホイール・ピース２４の上縁部の凹槽２４５，２４６より離脱させ、この時、足裏で圧力を施し、ホイール・ピース２４と滑走ホイール５２を靴底部１０内に縮ませ、また、後ボタン４４を放し、係止ピン３１を外方へ伸ばさせ、且つホイール・ピース２４の下縁部の凹槽２４５，２４６内に係止させ、ホイール・ピース２４を係止して下方へ移動不能にし、運動靴の構造を形成する。
【図面の簡単な説明】
【００１５】
【図１】本考案のそれぞれの部材を示す分解斜視図である。
【図２】本考案の一部の部材を示す組立斜視図である。
【図３】本考案の滑走ホイールを展開した状況を示す組立斜視図である。
【図４】本考案の滑走ホイールを収納した状況を示す組立斜視図である。
【図５】本考案の滑走ホイールを示す分解図である。
【図６】本考案の滑走ホイールを示す組立図である。
【図７】本考案の撥ねフォークと押し付け部材の滑走ホイールを展開した状況を示す組立斜視図である。
【図８】本考案の撥ねフォークと押し付け部材の滑走ホイールを収納した状況を示す組立斜視図である。
【図９】本考案の靴底部と滑走ホイール装置を示す分解図である。
【図１０】本考案の靴底部と滑走ホイール装置を示す組立図である。
【図１１】本考案の滑走ホイールの展開後の滑走ホイールの状態を示す説明図である。
【図１２】本考案の滑走ホイール収納後の履く場合を示す説明図である。
【符号の説明】
【００１６】
１０・・・靴底部
２０・・・滑走ホイール装置
２１・・・ベース
２２・・・ブロック
２４・・・ホイール・ピース
２５・・・ピン
２６・・・ガイド・ロッド
３０・・・撥ねフォーク制御部材
３１・・・係止ピン
３２・・・係止ピン・ベース
３３・・・スプリング
３４・・・撥ねフォーク
３５・・・分岐部
３６・・・ボス
４０・・・プッシュ制御部材
４２・・・ワッシャ
４３・・・スプリング
４４・・・後ボタン
５１・・・ホイール軸
５２・・・滑走ホイール
５３・・・ピン
２２１，２２２・・・トーション・スプリング
２２３，２２４・・・ガイド・ホール
２２５，２２６・・・位置決めホール
２４１，２４２・・・穿孔
２４３，２４４・・・ホイール軸孔
２４５，２４６・・・凹槽
【図１】
0003101017.tif 000003
【図２】
0003101017.tif 000004
【図３】
0003101017.tif 000005
【図４】
0003101017.tif 000006
【図５】
0003101017.tif 000007
【図６】
0003101017.tif 000008
【図７】
0003101017.tif 000009
【図８】
0003101017.tif 000010
【図９】
0003101017.tif 000011
【図１０】
0003101017.tif 000012
【図１１】
0003101017.tif 000013
【図１２】
0003101017.tif 000014